(57)【要約】      （修正有）【課題】建物入口において雨傘の水滴を除去することができ、経済的尚且つ環境に優しい雨傘水滴除去装置を提供する。【解決手段】傘挿入口を有する筐体と、筐体内に雨傘を挿入する傘挿入路と、該傘挿入路沿い両側に配置する吸水ロールと、該両側吸水ロール間に雨傘を挟む力のバネと、前記傘挿入路沿い両側に配置する吸水マットと、該両側吸水マット間に雨傘を挟む力のバネと、雨傘を取出す用の搬出路と、該搬出路沿い両側に配置する給水マットと、筐体内に水滴を溜める水槽と、を備える雨傘水滴除去装置。【選択図】図２
2011136126.tif 000002
【特許請求の範囲】
【請求項１】
雨傘水滴を除去する装置であって、雨傘を挿入する傘挿入口と、雨傘を挿入する傘挿入路と、該傘挿入路沿い両側に配置する雨傘水滴を吸収する吸水ロールと、該両側吸水ロール間に雨傘を挟む力のバネと、前記挿入路沿い両側に配置する雨傘水滴を吸収する吸水マットと、該両側の吸水マット間に雨傘を挟む力のバネと、雨傘を取出す用の搬出路と、該搬出路両側に配置する吸水マットと、を装備してなる雨傘水滴除去装置。
【請求項２】
雨傘水滴を除去する方法であって、雨傘表面と吸水ロール表面の回転接触による雨傘水滴が吸水ロールに吸収される方法と、雨傘表面と吸水マット表面の接触による雨傘水滴が吸水マットに吸収される方法と、を採用する雨傘水滴除去装置。
【発明の詳細な説明】
【技術分野】
【０００１】
本発明は雨傘の水滴対策として、雨傘水滴を除去する装置に関する。
【背景技術】
【０００２】
雨天時、屋外で使用した傘をそのまま屋内に持ち込むと、濡れた傘の水滴で品物、床面などを濡れたり、濡れた床面で滑り安くなったり、雨傘の水滴要因で他人に迷惑を掛けたりする為、現状は建物入口にビニル傘袋を設置し、また雨傘袋を装着する装置も数多く開発され、実用化されている（例えば、特許文献1）。
【先行技術文献】
【特許文献】
【０００３】
【特許文献１】特開２０００−３３５５３１号  公報
【発明の概要】
【発明が解決しようとする課題】
【０００４】
しかし、ビニル傘袋を使用方法においては、有限石油資源より生産される為、大切な資源を大量に消費される。また、ビニル傘袋を生産する過程及び使用後廃棄処分の過程でも大量の二酸化炭素を排出し、コスト面だけでなく環境面でも大きいな問題が明らかである。
【０００５】
本発明は上記で述べた雨傘の水滴要因で発生する問題の防止策と、従来のようなビニル傘袋の使用上問題を解決しようとするものであり、施設内入口において、雨傘の水滴を迅速に除去することができることと、ビニル傘袋を使用しない方法即ち経済的で尚且つ、環境に優しい雨傘水滴除去装置を実現することを目的とするものである。
【課題を解決するための手段】
【０００６】
本発明による雨傘水滴除去装置は、雨傘を挿入する傘挿入口と、雨傘を挿入する傘挿入路と、該傘挿入路沿い両側に配置する雨傘水滴を吸収する吸水ロールと、該両側吸水ロール間に雨傘を挟む力のバネと、前記挿入路沿い両側に配置する雨傘水滴を吸収する吸水マットと、前記両側吸水マット間に雨傘を挟む力のバネと、雨傘を取出す用の搬出路と、該搬出路両側に配置する吸水マットと、を有するものである。
【０００７】
本発明による雨傘水滴除去方法は、前記傘挿入路沿い両側に配置された吸水ロールの間に雨傘を挿入する方法と、雨傘表面と吸水ロール表面の回転接触による雨傘水滴が吸水ロールに吸収される方法と、を特徴とするものである。
【０００８】
また本発明による雨傘水滴除去方法は、前記傘挿入路沿い両側に配置された吸水マットの間に雨傘を挿入する方法と、雨傘表面と吸水マット表面の接触による雨傘水滴が吸水マットに吸収される方法と、を特徴とするものである。
【０００９】
また本発明において、雨傘を取出す用の傘搬出路沿い両側に配置する雨傘水滴を吸収する吸水マットを有するものである。
【００１０】
さらに本発明においては、前記傘挿入口は折畳んだ雨傘を挿入できる程度の円錐形状であって、円錐面上に多数の小穴を有するものである。
【発明の効果】
【００１１】
上述したように本発明に係る雨傘水滴除去装置は円錐形の円錐面に多数の脱水用小穴の実現によって、折り畳んだ雨傘を挿入する際、雨傘の水滴が円錐面の小穴と絞り接触挿入により、雨傘水滴が傘の表面から前記小穴に入りことが出来、次は筐体内水路に沿って、水槽に流れることが出来、また雨傘を挿入する過程では傘挿入路沿い両側の吸水ロール間に雨傘を挟み、雨傘の挿入方向との回転接触により、雨傘に付着した水滴が吸水ロールに吸収され、また雨傘表面の残留水滴が挿入路沿い両側の吸水マットとの接触により吸水マットに吸収される構造になっている。さらに雨傘を取出す時も傘搬出路の両側に配置した吸水マットとの接触により雨傘表面水滴が除去出来る構成にしたので、建物内に雨傘の水滴を持ち込み防止することができる。
【００１２】
また本発明の雨傘水滴除去装置は従来のようなビニル傘袋を使用しない方法により、大切な石油資源も使わず、廃棄処分などの焼却で二酸化炭素も排出をしない為、環境面に大変優しい雨傘水滴除去装置です。また使用に伴う費用は掛からないことと、供給する電力源も不要の雨傘水滴除去装置ですので設置場所制限などもしないことにより快適に建物、施設を利用することが出来るなど、その効果は大きいである。
【図面の簡単な説明】
【００１３】
【図１】本発明の実施例を示す雨傘水滴除去装置正面の部分断面図である。
【図２】本発明の実施例を示す雨傘水滴除去装置側面の部分断面図と雨傘の挿入様子と雨傘を取出様子を示す説明図である。
【図３】本発明の雨傘水滴除去装置の上面図である。
【図４】本発明の雨傘水滴除去装置の横AA断面図（吸水マット配置説明図）である。
【発明を実施するための形態】
【００１４】
以下、本発明の実施形態を図1〜4図に基づいて説明する。
【実施例】
【００１５】
図1〜2は本発明に係る雨傘水滴除去装置の実施例を示しており、本実施例において、雨傘水滴除去装置は縦長方型の筐体16を備えている。筐体16（部分的に示している）内には次のような構成が収容されている。筐体16の上部面に傘挿入口2を有し、該傘挿入口2の中央部から鉛直方向下向きに伸びる傘挿入路27と、該傘挿入路27沿いに開閉回転機構7付きの吸水ロール6と、雨傘20を挟む反対側に吸水ロール5と、を有している。前記傘挿入路27沿い両側の下方に吸水ロール6と吸水ロール5とを直交する前記傘挿入路27沿いに複数の吸水ロール12と複数の水絞りロール13と、雨傘20を挟む反対側に複数の吸水ロール9と複数の水絞りロール10と、前記傘挿入路27沿い両側の吸水ロール12と吸水ロール9の間に雨傘20を挟む方向37に働く力のバネ25と、前記傘挿入路27沿い両側の下方に吸水マット11と、雨傘20を挟む反対側に吸水マット14と、前記両側の吸水マット11と吸収マット14と、の間に雨傘20を挟む方向38に働く力のバネ26と、傘搬出路19両側に各々吸水マット17と吸水マット18と、筐体内の水路22と水槽23と、の構成されている。
【００１６】
図３は本発明による雨傘水滴除去装置の上面図である。上部面に傘挿入口2は中央部から傘挿入方向28に伸びる傘挿入路27と、折り畳んだ雨傘20を挿入できる程度の円錐形底面30の直径と、円錐形頂点面31と、該円錐形の円錐面32に多数排水用の小穴33を有し、前記多数排水用の小穴33は筐体16内の水路22と水槽23とのつながる構造になっている。また該傘挿入口2の中央部から鉛直方向下向きに伸びる傘挿入路27沿いに開閉回転機構7付きの吸水ロール6と、雨傘20を挟む反対側に吸水ロール5と、を有している。また前記傘挿入路27沿い両側の下方に前記吸水ロール6と吸水ロール5とを直交する吸水ロール12と、雨傘20を挟む反対側に吸水ロール9と、該両側の吸水ロール12と吸水ロール9の間に雨傘20を挟む方向37に働く力のバネ25と、を有している。また雨傘20を取出す用の傘搬出路19両側に夫々吸水マット17と吸水マット18を有し、雨傘20を傘搬出方向29に沿って、傘取出口24から良いに取出すことが出来る構成になっている。
【００１７】
図4は本発明による雨傘水滴除去装置の横AA断面図（吸水マット配置説明図）である。横AA断面図は傘挿入口2の中央部から鉛直方向下向きに伸びる傘挿入路27と、該傘挿入路27沿い両側に吸水マット11と、雨傘20を挟む反対側に吸水マット14と、該両側吸水マット11と、吸水マット14と、の間に雨傘20を挟む方向38に働く力のバネ26と、傘搬出路19両側に夫々吸水マット17と吸水マット18を有し、雨傘20を傘搬出方向29に沿って、傘取出口24から良いに取出すことが出来る構成になっている。
【００１８】
次に、このような構成からなる雨傘水滴除去装置の動作について説明する。先ず、折り畳んだ雨傘20を傘挿入口2に挿入すると、雨傘20の表面が円錐形傘挿入口2の円錐面32との挿入絞り接触により、雨傘水滴が円錐形傘挿入口2の円錐面32上の小穴33に脱出し、これらによって雨傘水滴が除去されてゆき、さらに雨傘20を傘挿入路27に沿って深く挿入されて行くと、雨傘20表面残留水滴が傘挿入路27沿いの吸水ロール5、6、9,12の表面と回転接触により、該吸水ロール5,6,9,12の表面に吸収されてゆき、さらに雨傘20を傘挿入路27に沿って深く挿入されて行くと、雨傘20表面残留水滴が傘挿入路27沿い両側の吸水マット11,14との接触により、該吸水マット11,14表面に吸収されてゆき、また雨傘20を傘搬出方向29に沿って、傘取出口24から取出す過程でも雨傘20表面残留水滴が前記傘搬出路19沿い両側の吸水マット17と吸水マット18の表面に吸収されるので傘取出口24から取出す時には雨傘20の表面に僅かの水分が残り、持ち運ぶ過程で外気との触れにより自然蒸発し、乾燥に至る。
【００１９】
また本実施例は傘挿入路27が鉛直方向に配列しているが、本発明においては、傘挿入路27を斜め傾斜方向や水平方向に配列してもよい。
【００２０】
また本実施例は吸水ロール9、12が複数本を傘挿入路27沿いに配列しているが、本発明においては、傘挿入路27沿いに夫々単本数や吸収性エンドレスベルト状に配列してもよい。
【００２１】
また本実施例の吸水ロール５，６,９、12はＰＶＡ（ポリビニルアルコール）系の吸水スポンジをロール形状に使用しているが、本発明においては、他にウレタン系、オレフィン系などの親水性且つ吸水力の材質を使用してもよい。
【００２２】
また本実施例の吸水マット１１，１４,１７、１８はポリエステル系材質のマイクロファイバーマット（モール状加工）を使用しているが、本発明においては、他にウレタン系、オレフィン系などの親水性且つ吸水力の材質を使用してもよい。
【符号の説明】
【００２３】
１  雨傘水滴除去装置
２  傘挿入口
３２  円錐面
３３  小穴
１６  筐体
２３  水槽
２２  水路
５，６，９，１２  吸水ロール（ＰＶＡ吸水スポンジ）
１０，１３  水絞りロール
１１，１４  傘挿入路両側吸水マット（マイクロファイバーマット）
１７，１８  傘搬出路両側吸水マット（マイクロファイバーマット）
１９  傘搬出路
２４  傘取出口
２５  傘挿入路両側吸水ロール間に雨傘を挟む力のバネ
２６  傘挿入路両側吸水マット間に雨傘を挟む力のバネ
２７  傘挿入路
２８  傘挿入方向
２９  傘搬出方向
３７  傘挿入路両側吸水ロール間に雨傘を挟む力方向
３８  傘挿入路両側吸水マット間に雨傘を挟む力方向
【図１】
2011136126.tif 000003
【図２】
2011136126.tif 000004
【図３】
2011136126.tif 000005
【図４】
2011136126.tif 000006